(57)【要約】      （修正有）【課題】電子音による重低音と、歯切れのよい軽快な高い音、この相反する二つの異なる音を、一つの楽器で発生させ奏でられる様にした、電子音のリズム専用楽器を提供する。【解決手段】曲のリズムには、強気と弱気がある。強気と弱気ではそれぞれの表現に相応しい独自の音があり、音の質、音の高さなどに於いて大きな違いがある。本案は曲のリズムの強気には強気の表現に相応しいドンという力強い重低音、弱気には弱気の表現に相応しいチャッという様な歯切れのよい軽快な高い音を選び出し、この二つの音を一つの楽器で発生させ、曲の強気と弱気に使い分けて発生させ奏でられる様にした。【選択図】図１
0003129761.tif 000002
【実用新案登録請求の範囲】
【請求項１】
ハンドルを摺動可能に貫通、或いは連通する軸に重低音と歯切れのよい軽快な高い音、この相反する二つの異なる音を発生する電子音ユニットを装着し、軸に添って摺動するハンドルの動きを該電子音ユニットの電子音の回路の開閉に介在させて演奏する電子音のリズム専用楽器。
【請求項２】
ハンドル全体の形を大きくすることにより、或いはハンドルのわたりの部分を長く伸ばす事により、電子音ユニットの電子音の回路を開閉するために摺動するハンドルのストロークを長くした、電子音のリズム専用楽器。
【考案の詳細な説明】
【技術分野】
【０００１】
本考案は、電子音による重低音と、歯切れのよい軽快な高い音、この相反する二つの異なる音を、一つの楽器で発生させ奏でられる様にした、電子音のリズム専用楽器である。
【背景技術】
【０００２】
カラオケ店に行くと、曲のリズムを奏でるためにタンバリンやマラカスなどが置いてある。しかしこれらはそれぞれ独自の一つの音だけしか発生させることができない。マラスカを例にとれば、音の歯切れをよくするための工夫（公開実用昭和５６−１０６８６）や、本体の壁を透明にし、中に発光体を入れて見る目をも楽しませる工夫（公開実用平成２−１３２８９）などがあるが、しかし所詮は一つの音だけしか発生させることができないのであるから、何れでリズムを奏でてみてもその演奏は単調にならざるを得ない。
【考案の開示】
【考案が解決しようとする課題】
【０００３】
タンバリンやマラスカも、曲の強気と弱気に合わせて強く弱く、抑揚をつけて奏でることができるが、一つの音しか奏でられないのであれば、それ以上のものを望むことはできない。やはり曲の強気にはドン、という力強い重低音を、弱気には歯切れのよいチャッ、という様な軽快な高い音を奏でる方が、曲のリズムに落ちつきを与え、安定させ、味のあるものにすることができる。
【課題を解決するための手段】
【０００４】
本考案は、曲のリズムの強気には、強気の表現に相応しいドン、という力強い重低音を、弱気には弱気の表現に相応しチャッ、という様な歯切れのよい軽快な高い音を使い分けて奏でられる様、相反する二つの異なる電子音を一つの楽器で発生させて演奏する。重低音と歯切れのよい軽快な高い電子音は、それぞれ単独の電子音ユニットから、或いは該二つの電子音を一つにまとめた電子音ユニットから発生させる。電子音ユニットには、電子音の発生装置とその回路、該回路を開閉するスイッチ、電源などを備え、該電子音ユニットは、ハンドルの軸に摺動可能に貫通或いは連通して成る軸に装着する。演奏は、軸に添って上下に摺動するハンドルの動きを電子音ユニットの電子音の回路の開閉に介在させて曲の強気には強気の表現に相応しい力強い重低音を、曲の弱気には弱気の表現に相応しい歯切れのよい軽快な高い音を発生させて奏でる。
【考案の効果】
【０００５】
本考案は以上の様にして、曲の強気には強気の表現に相応しいドン、という力強い重低音を、弱気には弱気の表現に相応しいチャッ、という様な歯切れのよい軽快な高い音を、曲の強気と弱気に使い分けて演奏することができるので、タンバリンやマラカスなど、一つの音だけしか発生させることのできないもので演奏するよりも、はるかに曲のリズムに落ち着きを与え、安定させ、味のあるリズムを奏でることができる。またハンドルを大きくし、或いは曲がったハンドルのわたりの部分を長くし、電子音ユニットのスイッチボタンと接触させるハンドルの部位との距離を広げることにより、軸に添って上下に摺動させるハンドルのストロークを長くし、演奏の仕草を大きくダイナミックにすることによって、演奏を指先だけの操作ではなく、手から腕、更には身体ごとの動きを誘って力強く、ダイナミックにリズムを演奏することができる。演奏者も、また見る人も楽しくなる。
【考案を実施するための最良の形態】
【０００６】
本考案は、曲のリズムを奏でる電子音のリズム専用楽器である。曲のリズムには強気と弱気がある。タンバリンやマラカスなども打つ力、或いは振る力を加減して強気と弱気の別を表現することはできるが、しかし強気と弱気は異なるものであるから、これを一つの音で表現しょうとする処には無理があり、表現しょうとしても十分に表現することは難しい。やはり曲の強気の表現にはドンという力強い重低音、弱気の表現には歯切れのよい軽快な高い音を発生させ奏でる方が相応しく好ましい。そこで本考案は、この相反する二つの異なる音を一つの楽器に装備し、電子音によって発生させ奏でられる様にした。構造はハンドルを摺動可能に貫通或いは連通する軸に前記二つの相反する異なる音を発生する電子音ユニットを装着して成る。演奏は、軸に添ってハンドルを上下に摺動させることにより、この動きを電子音ユニットの電子音の回路の開閉に介在させて行う。演奏者は軸の下端の床保護板を演奏者の前の床面に付け立てて持つ。利き手の逆の手に軸に装着した電子音ユニットの握りを持って器体を安定させ、利き手にハンドルを持って操作する。ハンドルを下方に摺動させればハンドルの動きは電子音ユニットの重低音の回路を閉じて重低音の電子音を発生し、ハンドルを上方に摺動させればハンドルの動きは電子音ユニットの歯切れのよい軽快な高い音の回路を閉じて該電子音を発生する。以上の様な演奏は本案の前記の様なハンドルの上下の摺動によらず、電子音ユニットの外部に導き出した電子音の回路のスイッチボタンなどを直接指先などで押したり離したりする操作によっても可能であるが、それでは演奏の仕草が小さくなる。曲のリズムを奏でるのであれば、やはり静よりは動、ある程度以上の大きな仕草が欲しい。そうすれば演者自身も、また見る人をも曲のリズムにより乗りやすい。この様な考えから本考案はハンドル全体の形を大きくし、或いはハンドルのわたりの部分を長く伸ばすことにより、電子音ユニットの電子音の回路を開閉させるに要するハンドルの上下摺動のストロークを長くし、これによって演奏の仕草を大きくする様にした。また、別紙図１のハンドルは、途中がコの字形に曲がった形の物を例示したが、この外にＵの字形や弓形などの開口形だけでなく四角や丸形、たまご形など、閉口形のものにすることもできる。機能に支障を来たすことはなく、むしろ意匠的には変化を与え、その価値を高めるものとなる。
【実施例】
【０００７】
以下、別紙図面に従って一実施例を説明する。本考案は、重低音と歯切れのよい軽快な高い音、この相反する二つの異なる電子音を発生する電子音ユニット３が、ハンドル２のコの字形につながる上下の軸を摺動可能に貫通した軸１に装着されている。
【０００８】
上記二つの電子音は、それぞれ個別のユニットに納めることはできるが、以下は図１に従って二つの音を一つのユニットに納めた例について説明する。電子音ユニット３の内部には電源と共に重低音と歯切れのよい軽快な高い音それぞれの電子音を発生させる装置とその回路、該回路を開閉するスイッチ、外部には電子音ユニット３と該電子音ユニット３の握り４、電子音ユニット３の内部で発生した電子音を外部に出す窓５、内部の電子音の回路を開閉する回路のスイッチのスイッチボタン６、７があり、６が重低音用、７が歯切れのよい軽快な音用のものである。
【０００９】
演奏に先立ち演奏者は、軸１下端の床保護板８を床につけ、利き手の逆の手で電子音ユニット３の握り４を持って器体を支え安定させ、利き手にハンドルを持って操作する。まず重低音は利き手に持ったハンドル２を軸１に添って下方に摺動させ、電子音ユニット３のスイッチボタン６をハンドル２のコの字を形成する上辺の内側で押しつけ、重低音の回路を閉じて発生させる。ハンドル２を上方に摺動させれば重低音の回路は開かれる。
【００１０】
歯切れのよい軽快な高い音は、利き手に持ったハンドル２を今度は上方に摺動させ、電子音ユニット３のスイッチボタン７にハンドル２のコの字を形成する底辺の内側を押しつけ電子音の回路を閉じて発生させる。ハンドル２を下方に摺動すれば歯切れのよい軽快な高い音の回路は開かれる。
【図面の簡単な説明】
【００１１】
【図１】本考案の電子音のリズム専用楽器の正面図である。
【符号の説明】
【００１２】
１  軸
２  ハンドル
３  電子音ユニット
４  電子音ユニットの握り
５  電子音の出口窓
６  電子音の重低音のスイッチボタン
７  歯切れのよい軽快な高い電子音のスイッチボタン
８  床保護板１
【図１】
0003129761.tif 000003
【手続補正書】
【提出日】平成18年12月21日(2006.12.21)
【手続補正１】
【補正対象書類名】実用新案登録請求の範囲
【補正対象項目名】請求項２
【補正方法】変更
【補正の内容】
【請求項２】
ハンドル全体の形を大きくすることにより、或いはハンドルのわたりの部分を長く伸ばすことにより、電子音ユニットの電子音の回路を開閉するために摺動するハンドルのストロークを長くした請求項１記載の電子音のリズム専用楽器。